(57)【要約】【課題】操縦安定性や耐摩耗性を低減させることなく転覆限界性能の向上を図ることのできる空気入りタイヤを提供すること。【解決手段】空気入りタイヤ１のトレッド部１０において接地部４１のタイヤ幅方向外方に位置する突起部形成範囲４５に突起部５０を複数形成する。この突起部５０は、空気入りタイヤ１を装着した車両の直進走行時には接地せず、当該車両のコーナーリング時に接地するように設けられている。また、突起部５０の接地面積は小さいため、空気入りタイヤ１に大きな横Ｇが作用した場合には、突起部５０が滑ることによりコーナーリングフォースを低減できる。この結果、操縦安定性や耐摩耗性を低減させることなく転覆限界性能の向上を図ることができる。【選択図】        図２
2006182179.tif 000002
【特許請求の範囲】
【請求項１】
トレッド部に複数の溝部が形成される空気入りタイヤにおいて、
前記トレッド部は、前記トレッド部の表面であるトレッド表面に、正規内圧で空気を充填すると共に正規荷重で負荷をかけた際に接地する部分である接地部と、
前記接地部のタイヤ幅方向における端部である接地端よりタイヤ幅方向外方で、且つ、タイヤ径方向内方に突起部形成範囲と、を有しており、
前記突起部形成範囲は、前記接地端から前記トレッド表面においてタイヤ径方向内方に向けて前記溝部の溝深さの２倍の位置まで範囲となっており、
前記突起部形成範囲には、前記トレッド表面から突出しており、且つ、前記正規内圧で空気を充填すると共に前記正規荷重で負荷をかけた際にはいずれの部分も接地せず、さらに、タイヤ幅方向に負荷をかけた際には接地する突起部が設けられており、
前記突起部のうち前記突起部が接地した場合に接地する部分の面積である突起部接地面積は、前記突起部形成範囲に前記突起部が形成されていないとした場合の前記突起部形成範囲の面積の１％〜５０％の範囲内となっていることを特徴とする空気入りタイヤ。
【請求項２】
前記突起部は、前記トレッド表面からの高さが０．５ｍｍ〜５．０ｍｍの範囲内で形成されていることを特徴とする請求項１に記載の空気入りタイヤ。
【請求項３】
前記突起部は、タイヤ周方向に沿って連続して全周に形成されていることを特徴とする請求項１または２に記載の空気入りタイヤ。
【請求項４】
前記突起部は、タイヤ周方向に沿って不連続で形成されていることを特徴とする請求項１または２に記載の空気入りタイヤ。
【請求項５】
前記突起部は、前記突起部の硬度と前記トレッド部が有するキャップトレッドの硬度とをそれぞれのＨｓで比較した場合に、前記突起部のＨｓが前記キャップトレッドのＨｓに対して＋２〜＋１０の範囲内となるように形成されていることを特徴とする請求項１〜４のいずれか１項に記載の空気入りタイヤ。
【発明の詳細な説明】
【技術分野】
【０００１】
本発明は、空気入りタイヤに関するものである。特に、この発明は、車両の転覆防止性能の向上を図る空気入りタイヤに関するものである。
【背景技術】
【０００２】
従来の空気入りタイヤでは、互いに相反する性能である操縦安定性と乗り心地性能と両立させるため、様々な手段が用いられている。例えば、特許文献１では、サイドウォール部のタイヤ径方向外方の部分に、それぞれタイヤ周方向に形成された複数の溝と複数のリブを設けている。このように、複数の溝を設けることにより縦剛性を低減させて乗り心地性能を向上させ、複数のリブを設けることにより周剛性と横剛性を向上させて操縦安定性を向上させている。これにより、操縦安定性と乗り心地性能と両立させていた。
【０００３】
【特許文献１】特開平５−１７８０１３号公報
【発明の開示】
【発明が解決しようとする課題】
【０００４】
従来の車両では、空気入りタイヤに対して上記のような手段を施すことにより、操縦安定性と乗り心地性能と両立させることができ、上質な走行性能を得ていた。しかし、近年では、ＲＶ車や、実用性を考慮したワゴンタイプの車両など車高の高い車両が増加している。このような車高の高い車両では、重心位置が高いためコーナーリング時のロール量が大きく、また、大きなコーナーリングフォースが作用した場合には、最悪の場合車両が転覆する虞がある。このため、このような車両に装着する空気入りタイヤは、車両の転覆を防ぐ性能を向上させる必要がある。しかし、車両の転覆を防ぐには、トレッド部の剛性を低くするなどの手法があるが、このような手法で転覆防止の性能を向上させた場合には、トレッド部の剛性が低過ぎるため、通常走行時の操縦安定性が低下したり、摩耗し易くなったりする虞があった。
【０００５】
本発明は、上記に鑑みてなされたものであって、操縦安定性や耐摩耗性を低減させることなく転覆限界性能の向上を図ることのできる空気入りタイヤを提供することを目的とする。
【課題を解決するための手段】
【０００６】
上述した課題を解決し、目的を達成するために、この発明に係る空気入りタイヤは、トレッド部に複数の溝部が形成される空気入りタイヤにおいて、前記トレッド部は、前記トレッド部の表面であるトレッド表面に、正規内圧で空気を充填すると共に正規荷重で負荷をかけた際に接地する部分である接地部と、前記接地部のタイヤ幅方向における端部である接地端よりタイヤ幅方向外方で、且つ、タイヤ径方向内方に突起部形成範囲と、を有しており、前記突起部形成範囲は、前記接地端から前記トレッド表面においてタイヤ径方向内方に向けて前記溝部の溝深さの２倍の位置まで範囲となっており、前記突起部形成範囲には、前記トレッド表面から突出しており、且つ、前記正規内圧で空気を充填すると共に前記正規荷重で負荷をかけた際にはいずれの部分も接地せず、さらに、タイヤ幅方向に負荷をかけた際には接地する突起部が設けられており、前記突起部のうち前記突起部が接地した場合に接地する部分の面積である突起部接地面積は、前記突起部形成範囲に前記突起部が形成されていないとした場合の前記突起部形成範囲の面積の１％〜５０％の範囲内となっていることを特徴とする。
【０００７】
この発明では、トレッド表面の突起部形成範囲に突起部を設けている。この突起部は、上述したように設けられているため通常の直進走行では接地せず、タイヤ幅方向への負荷、つまり、コーナーリング時に横Ｇが作用した場合に接地する。このため、直進走行では突起部を設けた影響が無く、直進走行時の操縦安定性の低下や耐摩耗性の低減を抑制できる。一方、コーナーリング時には突起部が接地するが、突起部は接地面積が小さいため、コーナーリング時の接地面積を減少させることができ、コーナーリングフォースを低減させることができる。
【０００８】
また、突起部を設ける突起部形成範囲を上記の範囲に設けることにより、突起部を上記の範囲内に位置させることができる。つまり、突起部を、接地端からトレッド表面においてタイヤ径方向内方に向けて溝部の溝深さの２倍以上の位置に設けた場合には、コーナーリング時に突起部が接地しない虞がある。突起部がコーナーリング時に接地しない場合には、コーナーリング時に接地面積を低減させることができないため、コーナーリングフォースを低減できず、転覆限界性能を向上させることが困難になる。このため、突起部を、接地端からトレッド表面においてタイヤ径方向内方に向けて溝部の溝深さの２倍の位置まで範囲である突起部形成範囲に設けることにより、より確実にコーナーリング時に突起部を接地させることができる。
【０００９】
また、突起部が接地した場合の面積である突起部接地面積は、突起部形成範囲に突起部が形成されていないとした場合の突起部形成範囲の面積の１％〜５０％の範囲内となるようにすることにより、より確実にコーナーリングフォースの低減を図ることができる。即ち、突起部接地面積が、１％未満の場合には、突起部が接地した場合に滑り過ぎてしまう虞があり、操縦安定性が低下する虞がある。また、突起部接地面積が５０％よりも大きい場合には、突起部が接地した場合でも接地面積が大き過ぎるため、突起部は滑り難くなり、コーナーリングフォースを低減し難くなる虞がある。そこで、突起部接地面積を、突起部形成範囲に突起部が形成されていないとした場合の突起部形成範囲の面積の１％〜５０％の範囲内となるようにすることにより、操縦安定性を低下させることなく、より確実にコーナーリングフォースの低減を図ることができる。これらの結果、操縦安定性や耐摩耗性を低減させることなく転覆限界性能の向上を図ることができる。
【００１０】
また、この発明に係る空気入りタイヤは、前記突起部は、前記トレッド表面からの高さが０．５ｍｍ〜５．０ｍｍの範囲内で形成されていることを特徴とする。
【００１１】
この発明では、突起部を、上述した範囲内で形成することにより、より確実に転覆限界性能の向上を図ることができる。即ち、突起部の高さが０．５ｍｍ未満の場合には、高さが低過ぎるため、突起部が接地した際に突起部の周囲の部分も接地する虞があり、コーナーリング時の接地面積を低減できない虞がある。また、突起部の高さが５．０ｍｍ以上の場合には、高さが高過ぎるため、突起部が接地した際に突起部が潰れる、或いは折れ曲がるように変形する虞があり、このように突起部が潰れた場合、接地面積が増えてしまうので、コーナーリング時の接地面積を低減できない虞がある。これに対し、突起部を、トレッド表面からの高さが０．５ｍｍ〜５．０ｍｍの範囲内になるように形成した場合には、より確実にコーナーリング時の接地面積の低減を図ることができ、より確実にコーナーリングフォースの低減を図ることができる。この結果、より確実に転覆限界性能の向上を図ることができる。
【００１２】
また、この発明に係る空気入りタイヤは、前記突起部は、タイヤ周方向に沿って連続して全周に形成されていることを特徴とする。
【００１３】
この発明では、突起部をタイヤ周方向に沿って連続して全周に形成しているので、突起部の剛性を向上させることができる。これにより、突起部に荷重がかかった際でも突起部は潰れ難くなり、より確実に接地面積の低減を図ることができる。この結果、より確実に転覆限界性能の向上を図ることができる。
【００１４】
また、この発明に係る空気入りタイヤは、前記突起部は、タイヤ周方向に沿って不連続で形成されていることを特徴とする。
【００１５】
この発明では、突起部が不連続で形成されているため、突起部を設けた際の重量の増加を抑えることができる。この結果、重量の増加を抑制しつつ、転覆限界性能の向上を図ることができる。
【００１６】
また、この発明に係る空気入りタイヤは、前記突起部は、前記突起部の硬度と前記トレッド部が有するキャップトレッドの硬度とをそれぞれのＨｓで比較した場合に、前記突起部のＨｓが前記キャップトレッドのＨｓに対して＋２〜＋１０の範囲内となるように形成されていることを特徴とする。
【００１７】
この発明では、キャップトレッドの硬度に対して突起部の硬度を上記の範囲内とすることにより、より確実に転覆限界性能の向上を図ることができる。即ち、突起部のショアＡ硬度、即ち、突起部のＨｓがキャップトレッドのＨｓの＋２未満の場合には、突起部に荷重がかかった際に突起部が潰れてしまう虞があり、突起部が接地した場合に接地面積の低減を図ることが困難になる。また、突起部のＨｓがキャップトレッドのＨｓの＋１０よりも大きい場合には、突起部に荷重がかかった際に突起部とキャップトレッドとの間でクラックが発生する虞があり、突起部が破損する虞がある。このため、突起部のＨｓがキャップトレッドのＨｓに対して＋２〜＋１０の範囲内となるように突起部を設けることにより、突起部が接地した際の破損や潰れることを抑制できるので、より確実に接地面積の低減を図ることができる。この結果、より確実に転覆限界性能の向上を図ることができる。
【発明の効果】
【００１８】
本発明にかかる空気入りタイヤは、操縦安定性や耐摩耗性を低減させることなく転覆限界性能の向上を図ることができる、という効果を奏する。
【発明を実施するための最良の形態】
【００１９】
以下に、本発明に係る空気入りタイヤの実施の形態を図面に基づいて詳細に説明する。なお、この実施の形態によりこの発明が限定されるものではない。また、下記実施の形態における構成要素には、当業者が置換可能かつ容易なもの、或いは実質的に同一のものが含まれる。
【００２０】
（実施の形態）
以下の説明において、タイヤ幅方向とは、空気入りタイヤの回転軸と平行な方向をいい、タイヤ幅方向内方とはタイヤ幅方向において赤道面に向かう方向、タイヤ幅方向外方とは、タイヤ幅方向において赤道面に向かう方向の反対方向をいう。また、タイヤ径方向とは、前記回転軸と直交する方向をいい、タイヤ周方向とは、前記回転軸を回転の中心となる軸として回転する方向をいう。図１は、この発明に係る空気入りタイヤの要部を示す子午断面図である。この空気入りタイヤ１は、子午面方向の断面で見た場合、タイヤ径方向の最も外側にトレッド部１０が形成されており、このトレッド部１０のトレッド表面、即ち、当該空気入りタイヤ１を装着する車両（図示省略）が走行した場合に、路面と接触する部分はトレッド面１１として形成されている。このトレッド部１０には、トレッドパターンを形成する溝部２０が複数設けられている。また、トレッド部１０のタイヤ径方向内方側には、ベルト層３１が複数設けられている。さらに、トレッド部１０のタイヤ幅方向における端部からタイヤ径方向内方側の所定の位置までは、サイドウォール部３２が設けられている。また、前記ベルト層３１のタイヤ径方向内方、及び前記サイドウォール部３２の赤道面６０側には、カーカス３３が連続して設けられており、このカーカス３３の内側、或いは、当該カーカス３３の、空気入りタイヤ１における内部側には、インナーライナ３４がカーカス３３に沿って形成されている。
【００２１】
また、トレッド部１０のタイヤ幅方向における両端には、ショルダー部１８が位置している。また、トレッド部１０は、当該空気入りタイヤ１を子午断面で見た場合に、ショルダー部１８付近よりもトレッド面１１の赤道面６０付近の方がタイヤ径方向外方に位置するように、トレッド面１１がタイヤ径方向外方に向けて凸となった曲面の形状で形成されている。つまり、トレッド部１０は、トレッド面１１のうち、赤道面６０近傍の部分が最もタイヤ径方向外方に位置するような曲面の形状で形成されている。
【００２２】
前記トレッド面１１のうち、当該空気入りタイヤ１が路面に接地した場合の接地幅Ｗの範囲内に位置する部分は接地部４１として設けられている。ここで、当該空気入りタイヤ１が路面に接地する際には、トレッド面１１がタイヤ径方向外方に向けて凸となった曲面の形状で形成されているため、トレッド面１１のタイヤ幅方向における中央付近が接地し易くなっている。このため、接地幅Ｗは、タイヤ幅方向において赤道面６０を中心として線対称となっており、接地部４１は、タイヤ幅方向における中央付近に位置している。
【００２３】
なお、ここでいう接地幅Ｗとは、空気入りタイヤ１を正規リムにリム組みし、且つ、正規内圧を充填するとともに正規荷重で負荷をかけた際、つまり、最大負荷能力の負荷荷重をかけたときにこの空気入りタイヤ１が路面と接地する際のタイヤ幅方向の幅をいう。ここで、正規リムとは、ＪＡＴＭＡで規定する「標準リム」、ＴＲＡで規定する「Design Rim」、あるいはＥＴＲＴＯで規定する「Measuring Rim」である。また、正規内圧とは、ＪＡＴＭＡで規定する「最高空気圧」、ＴＲＡで規定する「TIRE LOAD LIMITS AT VARIOUS COLD INFLATION PRESSURES」に記載の最大値、あるいはＥＴＲＴＯで規定する「INFLATION PRESSURES」である。また、正規荷重とは、ＪＡＴＭＡで規定する「最大負荷能力」、ＴＲＡで規定する「TIRE LOAD LIMITS AT VARIOUS COLD INFLATION PRESSURES」に記載の最大値、あるいはＥＴＲＴＯで規定する「LOAD CAPACITY」である。
【００２４】
また、接地部４１のタイヤ幅方向における端部である接地端４０のタイヤ幅方向外方で、且つ、タイヤ径方向内方には突起部形成範囲４５が位置している。詳しくは、突起部形成範囲４５は、タイヤ径方向外方及び赤道面６０方向の端部は前記接地端４０の位置となっており、タイヤ径方向内方及びタイヤ幅方向外方の端部は、接地端４０からタイヤ径方向内方に向けて前記溝部２０の溝深さＧの２倍の位置とトレッド面１１とが交差する位置となっている。トレッド面１１のこの位置は突起部形成範囲端部４６となっている。つまり、トレッド面１１において接地端４０からタイヤ径方向内方に向けた前記溝深さＧの２倍の位置までの範囲は突起部形成領域Ｂとなっている。また、突起部形成範囲４５はこのような範囲となっているため、突起部形成範囲４５は接地部４１のタイヤ幅方向外方に位置しており、換言すると、突起部形成範囲４５は、接地端４０から突起部形成範囲端部４６までの範囲となっている。
【００２５】
なお、接地端４０よりもタイヤ径方向外方にラグ溝などの凹部（図示省略）が形成されており、当該凹部が接地端４０からタイヤ径方向内方に向けて溝部２０の溝深さＧの２倍付近に位置している場合は、凹部が形成されている位置によって突起部形成範囲４５は異なる。例えば、凹部が、接地端４０からタイヤ径方向内方に向けて溝部２０の溝深さＧの２倍付近の位置から、接地端４０よりも赤道面６０側の部分にかけて延在している場合には、突起部形成範囲端部４６は、凹部が形成された陸部（図示省略）に位置し、凹部の底部は突起部形成範囲４５とはならない。一方、凹部が、接地端４０からタイヤ径方向内方に向けて溝部２０の溝深さＧの２倍付近の位置から、接地端４０よりもタイヤ幅方向外方側の部分に位置している場合、即ち、凹部が接地端４０よりもタイヤ幅方向外方に位置している場合には、突起部形成範囲端部４６は、凹部の底部に位置し、凹部の底部（図示省略）も突起部形成範囲４５となる。
【００２６】
また、当該空気入りタイヤ１は、Ｍ＋Ｓの打刻の無い空気入りタイヤ１、いわゆるサマータイヤ１として形成されている。また、当該空気入りタイヤ１は、装着するリムサイズが１８インチ以上の空気入りタイヤ１であることが好ましく、さらに、装着するリムサイズが２０インチ以上の空気入りタイヤ１であるのが、より好ましい。また、当該空気入りタイヤ１の外径は、６５０ｍｍ以上であるのが好ましく、さらに、外径が７５０ｍｍ以上であるのが、より好ましい。
【００２７】
図２は、図１に示す空気入りタイヤに突起部が形成されている状態を示す図である。図３は、図１に示す空気入りタイヤの要部斜視図である。前記突起部形成範囲４５には、２つの突起部５０が形成されている。つまり、突起部５０は前記接地端４０よりもタイヤ幅方向外方に位置している。これらの突起部５０は、共にトレッド面１１の突起部形成範囲４５から突出しており、それぞれタイヤ幅方向、或いはタイヤ径方向の位置が異なっている。このため、２つの突起部５０はタイヤ幅方向、或いはタイヤ径方向に離間している。また、２つの突起部５０は、共にタイヤ周方向に沿って形成されており、タイヤ周方向に沿って連続して全周に形成されている。この２つの突起部５０は、共にトレッド部１０に接続されている側から、トレッド部１０から離れる方向に向かうに従って、幅が狭くなっている。このため、２つの突起部５０は、当該空気入りタイヤ１を子午断面で見た状態では、共にトレッド面１１側の幅が広く、トレッド面１１から離れるに従って幅が狭くなった略台形の形状で形成されている。なお、突起部５０の断面形状は台形に限定されず、断面三角形状、断面半円形状、断面矩形形状などでもよい。
【００２８】
このように形成される突起部５０のうち、最もトレッド面１１から離れている面、或いは、略台形の形状で形成されている突起部５０のうち、最も幅が狭い部分は、突起部接地部５３として形成されている。この突起部接地部５３の面積は、突起部形成範囲４５に突起部５０が形成されていないとした場合の突起部形成範囲４５の面積の１％〜５０％の範囲内で形成されている。また、この突起部５０は、トレッド面１１の突起部形成範囲４５に形成されているため、トレッド部１０のうちタイヤ径方向外方に位置し、トレッド面１１を有して実質的に路面に接地する部分であるキャップトレッド１２を形成する材質と、同じ材質で形成されている。
【００２９】
また、２つの突起部５０は、トレッド面１１からの高さが異なっており、タイヤ幅方向外方に位置する突起部５０の方が、高さが高くなっている。つまり、２つの突起部５０のうち、タイヤ幅方向外方に位置する突起部５０である外方側突起部５２の高さＥは、赤道面６０側に位置する突起部５０である赤道面側突起部５１の高さＤよりも高くなっている。２つの突起部５０は、このように高さが異なった状態でタイヤ周方向に沿って全周に形成されており、また、双方はタイヤ幅方向、或いはタイヤ径方向に離間しているため、２つの突起部５０はほぼ平行な状態で配置されている。なお、これらの突起部５０は、トレッド面１１からの高さ、即ち、赤道面側突起部５１の高さＤと外方側突起部５２の高さＥとが、共に０．５ｍｍ〜５．０ｍｍの範囲内になるように形成されるのが好ましく、さらに、これらの突起部５０の高さは、２ｍｍ〜４ｍｍの範囲内となるのが、より好ましい。
【００３０】
以上の実施の形態に係る空気入りタイヤ１を車両に装着して走行すると、トレッド部１０は、トレッド面１１のうち赤道面６０付近に位置する部分が最もタイヤ径方向外方に位置するように形成されているため、直進走行時にはトレッド面１１のうち、タイヤ幅方向における中央付近に位置する接地部４１が路面に接地する。なお、このような直進走行時のように、タイヤ幅方向の負荷が作用していない場合には、突起部形成範囲４５は接地せず、さらに、突起部形成範囲４５に形成される突起部５０も、タイヤ幅方向の負荷が作用していない場合には接地しない。このようにトレッド面１１が接地する場合には、トレッド面１１の面積に準じた面積で路面に対して接地する。つまり、トレッド部１０において路面と対向する部分のうち、溝部２０以外の部分が接地するので、路面に接地する面積が大きくなる。このため、路面との摩擦が大きくなっており、走行時の滑りがほとんど生じない。これにより、直進走行時は安定した走行を行うことができる。また、このように接地部４１のトレッド面１１は路面に対して滑り難いため、摩耗も生じ難くなっている。
【００３１】
一方、コーナーリング時には、車両が曲がる方向と反対方向、つまり、車両が曲がる方向に対して外側方向に重心が移動する。このため、トレッド面１１のうち路面に接地する部分も、前記接地部４１よりもタイヤ幅方向におけるコーナーリングの外側方向、即ち、タイヤ幅方向における、車両が曲がる方向と反対方向が接地する。その際に、接地部４１よりもタイヤ幅方向の外側方向には、前記突起部形成範囲４５が位置しており、突起部形成範囲４５からは２つの突起部５０が突出している。このため、コーナーリング時には、これらの突起部５０が接地するようになる。即ち、コーナーリングによって空気入りタイヤ１にタイヤ幅方向の負荷が作用した場合には、突起部５０が接地する。
【００３２】
この突起部５０は、突起部形成範囲４５から略台形の形状で突出しているため、突起部５０が路面に接地する際には、突起部形成範囲４５のうち突起部５０以外の部分は接地し難くなる。このため、突起部５０が接地した場合には、突起部形成範囲４５では、ほぼ突起部５０のみが接地し、詳しくは、突起部５０の突起部接地部５３が接地する。このように、突起部５０の突起部接地部５３が接地することにより、突起部形成範囲４５に当該突起部５０が形成されていない場合に突起部形成範囲４５が接地した場合と比較して、接地面積が小さくなる。このため、突起部５０と路面との摩擦は小さくなっており、走行時の滑りが生じ易くなっている。これにより、高スリップアングル時など高い横Ｇが作用するような走行状態の際には、突起部５０は路面に対して滑り易くなり、コーナーリングフォースを低減することができる。このように、当該空気入りタイヤ１を装着した車両がコーナーリングをして突起部５０が接地した場合には、突起部５０が路面に対して滑ることにより大きなコーナーリングフォースが生じ難くなるので、車両は転覆し難くなる。これらの結果、操縦安定性や耐摩耗性を低減させることなく転覆限界性能の向上を図ることができる。
【００３３】
また、突起部形成領域Ｂは、トレッド部１０に形成される溝部２０の溝深さＧの２倍となっており、この突起部形成領域Ｂ内に突起部５０は配置されている。つまり、突起部形成範囲４５は、接地端４０からトレッド面１１においてタイヤ径方向内方に向けて溝部２０の溝深さＧの２倍の位置まで範囲となっている。この突起部形成範囲４５のタイヤ径方向における範囲である突起部形成領域Ｂが溝深さＧの２倍よりも大きい場合には、この部分に配置される突起部５０はコーナーリング時に接地しない虞がある。突起部５０がコーナーリング時に接地しない場合には、コーナーリング時に接地する部分の接地面積を小さくすることが困難になるため、コーナーリングフォースの低減が困難になる。このため、転覆限界性能を向上させることが困難になる。
【００３４】
また、突起部形成領域Ｂが溝深さＧの２倍未満の場合には、車両走行中に大きな横Ｇが作用した場合、その際に接地している部分における最もタイヤ幅方向外方に位置している部分に突起部５０が配置されない虞がある。このように、横Ｇが作用した際に接地している部分に突起部５０が配置されていない場合には、接地している部分の剛性を低減することが困難になり、コーナーリングフォースを低減することが困難になる。このため、転覆限界性能を向上させることが困難になる。このため、突起部形成領域Ｂ、つまり、タイヤ径方向における突起部形成範囲４５を、接地端４０からトレッド面１１においてタイヤ径方向内方に向けて溝部２０の溝深さＧの２倍の位置まで範囲とし、この範囲に突起部５０を設けることにより、より確実にコーナーリング時に突起部５０が形成されている部分を接地させることができる。この結果、より確実に転覆限界性能の向上を図ることができる。
【００３５】
また、突起部５０が接地する際には、主に突起部接地部５３が接地するため、突起部５０が接地した際の面積である突起部接地面積は、突起部接地部５３の面積とほぼ同一の面積となる。このため、突起部接地部５３の面積を、突起部５０を形成しない場合の突起部形成範囲４５の面積と比較して１％〜５０％の範囲で形成することにより、突起部接地面積は、突起部５０を形成しない場合の突起部形成範囲４５の面積の１％〜５０％になる。突起部接地面積をこの範囲にすることにより、操縦安定性の維持と転覆限界性能の向上とを両立できる。つまり、突起部接地面積を、突起部５０を形成しない場合の突起部形成範囲４５の１％以上にすることにより、突起部５０が接地した場合に、滑り過ぎてしまうことを抑制できるので、操縦安定性の低下を抑制できる。また、突起部接地面積を、突起部５０を形成しない場合の突起部形成範囲４５の５０％以下にすることにより、突起部５０が接地した場合に、より確実に突起部５０の滑りを発生させることができるので、より確実にコーナーリングフォースを低減することができる。これらの結果、突起部接地面積が、突起部５０を形成しない場合の突起部形成範囲４５の面積の１％〜５０％範囲内になるように突起部５０を形成することにより、操縦安定性を維持しつつ、より確実に転覆限界性能の向上を図ることができる。
【００３６】
また、突起部５０を２つ設けることにより、突起部５０が接地した場合の荷重を分散でき、１つの突起部５０にかかる荷重を低減できる。これにより、突起部５０が接地した際に、突起部５０にかかる荷重が大きくなり過ぎることを抑制でき、大きな荷重が突起部５０にかかることによって突起部５０が潰れることを抑制できる。突起部５０が潰れると接地面積が増加するため、コーナーリングフォースの低減が困難になるが、突起部５０が潰れ難くなることにより、より確実にコーナーリングフォースを低減させることができる。この結果、より確実に転覆限界性能の向上を図ることができる。
【００３７】
また、２つの突起部５０は、赤道面側突起部５１よりも外方側突起部５２の方が高さが高くなっているが、２つの突起部５０をこのように形成することにより、コーナーリング時に突起部５０をより確実に接地させることができる。つまり、直進走行時には接地部４１のみがするが、コーナーリング時には、トレッド部１０やサイドウォール部３２などが変形することにより、接地部４１のタイヤ幅方向外方に位置し、直進走行時には接地しない突起部５０が接地する。このため、２つの突起部５０は、コーナーリング時には接地部４１に近い側の突起部５０の方が接地し易くなっている。２つ突起部５０は、このように接地部４１に近い突起部５０の方が接地し易くなっているが、接地部４１に近い側の突起部５０である赤道面側突起部５１よりも外方側突起部５２の方が高さが高くなるようにすることにより、外方側突起部５２も接地し易くなり、コーナーリング時には、赤道面側突起部５１と外方側突起部５２とは、共に接地し易くなる。突起部５０が接地した際には、接地面積が減少するため、コーナーリングフォースが低減するが、赤道面側突起部５１と外方側突起部５２とが共に接地することにより、コーナーリングフォースを低減しつつ、操縦安定性を向上させることができる。この結果、転覆限界性能の向上を図りつつ、コーナーリング時の操縦安定性を向上させることができる。
【００３８】
また、突起部５０は、タイヤ周方向に沿って連続して全周に形成されているので、突起部５０の剛性を向上させることができる。このように、突起部５０の剛性を向上させることにより、突起部５０が接地した場合に、接地時の荷重によって突起部５０が潰れることを抑制できる。突起部５０が潰れると接地面積が増加するため、コーナーリングフォースの低減が困難になるが、突起部５０の剛性を向上させて突起部５０が潰れ難くなるようにすることにより、より確実にコーナーリングフォースを低減させることができる。この結果、より確実に転覆限界性能の向上を図ることができる。
【００３９】
また、突起部５０の高さが０．５ｍｍ〜５．０ｍｍの範囲内になるよう突起部５０を形成した場合には、より確実に転覆限界性能の向上を図ることができる。つまり、突起部５０の高さを０．５ｍｍ以上にすることにより、突起部５０が接地した場合に、突起部５０の周囲の部分が接地することを抑制でき、より確実にコーナーリング時の接地面積の低減を図ることができる。また、突起部５０の高さを５．０ｍｍ以下にすることにより、突起部５０が接地した場合に、突起部５０が潰れることを抑制できる。この突起部５０の高さが５．０ｍｍ以上の場合には、高さが高過ぎるため、突起部５０が接地した際に突起部５０が潰れる虞があり、このように突起部５０が潰れた場合、接地面積が増えてしまう。このため、突起部５０の高さを５．０ｍｍ以下にすることにより、突起部５０が潰れることを抑制でき、突起部５０が接地した場合に、より確実に接地面積を低減することができる。従って、突起部５０の高さが０．５ｍｍ〜５．０ｍｍの範囲内になるよう突起部５０を形成することにより、より確実に接地面積の低減を図ることができ、より確実にコーナーリングフォースの低減を図ることができる。この結果、より確実に転覆限界性能の向上を図ることができる。
【００４０】
また、前記空気入りタイヤ１は、サマータイヤであるため、Ｍ＋Ｓの打刻がされた空気入りタイヤ１、即ち、マッド＆スノータイヤと比較してキャップトレッド１２のコンパウンドによるグリップが高くなっている。このため、このようなサマータイヤの突起部形成範囲４５に突起部５０を設けることにより、コーナーリング時のコーナーリングフォースを効果的に低減することができる。この結果、転覆限界性能を向上させる効果が、より高くなる。
【００４１】
また、上述したように、装着するリムサイズが１８インチ以上の空気入りタイヤ１の突起部形成範囲４５に突起部５０を設けることにより、効果的に転覆限界性能の向上を図ることができる。つまり、装着するリムサイズが１８インチ以上の空気入りタイヤ１の場合には、コーナーリング時のコーナーリングフォースが大きくなり易く、特に、装着するリムサイズが２０インチ以上の空気入りタイヤ１の場合には、コーナーリング時のコーナーリングフォースが、さらに大きくなり易い。このため、このような空気入りタイヤ１の突起部形成範囲４５に突起部５０を設けることにより、大きくなり過ぎる虞のあるコーナーリングフォースを低減することができる。この結果、転覆限界性能を向上させる効果が、より高くなる。
【００４２】
また、上述したように、外径が６５０ｍｍ以上の空気入りタイヤ１の突起部形成範囲４５に突起部５０を設けることにより、効果的に転覆限界性能の向上を図ることができる。つまり、外径が６５０ｍｍ以上の空気入りタイヤ１を装着する車両は重心が高い場合が多く、特に、外径が７５０ｍｍ以上の空気入りタイヤ１の場合には、重心の高い車両に装着する可能性がさらに高くなる。このような重心の高い車両では、大きなコーナーリングフォースが作用すると転覆する虞が大きくなるが、このような車両に装着する空気入りタイヤ１の突起部形成範囲４５に突起部５０を設けることにより、重心が高い車両の転覆を大幅に低減することができる。この結果、転覆限界性能を向上させる効果が、より高くなる。
【００４３】
（変形例）
図４は、実施の形態の空気入りタイヤの変形例を示す図である。なお、上述した空気入りタイヤ１に形成される突起部５０は、タイヤ周方向に沿って連続して全周に形成されているが、突起部５０は、タイヤ周方向に沿って不連続で形成されていてもよい。例えば、図４に示すように、突起部５０は、所定のピッチで分断され、タイヤ周方向に不連続で形成されていてもよい。このように、突起部５０を不連続で形成することにより、突起部５０全体の体積が小さくなるので、突起部５０がタイヤ周方向に沿って連続して全周に形成されている場合と比較して重量を軽減できる。これにより、突起部５０を設けた際の重量の増加を抑えることができる。この結果、重量の増加を抑制しつつ、転覆限界性能の向上を図ることができる。なお、図４に示す変形例ように、１つの突起部形成範囲４５に突起部５０が複数配列されている場合、複数の突起部５０の分断される位置は、タイヤ周方向において同一でも異なっていてもよい。
【００４４】
また、突起部５０を不連続で形成する場合には、接地部４１に形成されるトレッドパターン（図示省略）のピッチ配列に連動して、不連続に形成してもよい。突起部５０が接地する際には、接地部４１も接地するので、接地部４１のトレッドパターンのピッチ配列に連動して突起部５０を不連続に形成することにより、接地部４１と突起部５０とをトータルでみた場合のタイヤ周方向における剛性差を低減できる。これにより、突起部５０が接地した際の操縦安定性を向上させることができる。また、接地部４１のトレッドパターンのピッチ配列に連動して突起部５０を不連続に形成することにより、トレッドパターンのピッチ配列に起因する音振を低減できる。
【００４５】
また、突起部５０をタイヤ周方向において不連続に形成することにより、タイヤ周方向において突起部５０が有る所と無い所とを設けることができる。これにより、突起部５０が接地した際に、空気入りタイヤ１が回転することにより突起部５０が有る所と無い所とが変化するので、空気入りタイヤ１が回転することによりコーナーリング時にグリップする場合とグリップしない場合とが変化し、アンダーステアなどの横滑りを緩やかに発生させることができる。この結果、突起部５０が接地した際の操縦安定性を向上させることができる。
【００４６】
また、上述した空気入りタイヤ１に形成される２つの突起部５０は、赤道面側突起部５１よりも外方側突起部５２の方が高さが高くなっているが、２つの突起部５０は、外方側突起部５２よりも赤道面側突起部５１の方が高さが高くなるように形成してもよい。コーナーリング時には、突起部形成範囲４５における接地端４０方向よりも突起部形成範囲端部４６方向の方が接地圧が高くなり易いので、２つの突起部５０のうち、突起部形成範囲端部４６方向に位置する外方側突起部５２の高さを、接地端４０方向に位置する赤道面側突起部５１よりも低くすることにより、大きな接地圧で接地する外方側突起部５２を、より滑らせ易くすることができる。これにより、大きな横Ｇが作用した場合に、コーナーリングフォースを、より確実に低減できる。この結果、より確実に転覆限界性能の向上を図ることができる。
【００４７】
また、上述した空気入りタイヤ１では、突起部５０の材質はキャップトレッド１２の材質と同じ材質で形成されているが、突起部５０の材質はキャップトレッド１２の材質と異ならせ、キャップトレッド１２の材質よりも硬度を高くしてもよい。例えば、突起部５０の硬度とキャップトレッド１２の硬度とを、ショアＡ硬度、即ち、Ｈｓ（ＪＩＳ  Ａ  Ｋ６２３５）で比較した場合に、突起部５０のＨｓがキャップトレッド１２のＨｓに対して＋２〜＋１０の範囲内になるように形成してもよい。つまり、突起部５０のＨｓがキャップトレッド１２のＨｓに対して＋２以上にすることにより、突起部５０に負荷が作用した場合に、突起部５０を潰れ難くすることができ、より確実に接地面積の低減を図ることができる。また、突起部５０のＨｓがキャップトレッド１２のＨｓに対して＋１０以下にすることにより、突起部５０の硬度とキャップトレッド１２の硬度との差が大き過ぎることに起因して、突起部５０に負荷が作用した場合に突起部５０とキャップトレッド１２との間でクラックが発生することを抑制できる。
【００４８】
従って、突起部５０のＨｓがキャップトレッド１２のＨｓに対して＋２〜＋１０の範囲内になるように形成することにより、突起部５０の破損を抑制すると共に接地部４１のグリップ力に対して突起部５０のグリップ力を、より確実に低減することができる。これにより、突起部５０が接地した場合に突起部５０は、突起部５０の硬度とキャップトレッド１２の硬度とが同一の場合と比較して、滑りが生じ易くなり、より確実にコーナーリングフォースの低減を図ることができる。この結果、より確実に転覆限界性能の向上を図ることができる。
【００４９】
なお、突起部５０の硬度を高くする場合には、突起部５０のＨｓとキャップトレッド１２のＨｓとを比較するのではなく、突起部５０のＨｓの値を高くしてもよい。例えば、突起部５０のＨｓを５０〜９０の範囲になるようにすることにより、突起部５０の硬度は高くなるので、グリップ力は低減し、突起部５０が接地した際に滑りが発生し易くなる。特に、突起部５０のＨｓの値を６５〜７５の範囲になるように形成することにより、より確実にグリップ力を低減できるので、突起部５０のＨｓの値を高くする場合には、Ｈｓは６５〜７５の範囲内とするのが好ましい。これにより、より確実のコーナーリングフォースを低減できるので、より確実に転覆限界性能の向上を図ることができる。
【００５０】
また、突起部５０とキャップトレッド１２との材質を異ならせて、突起部５０が接地した際に滑りを発生し易くさせる場合には、双方の硬度を比較するのではなく、双方のグリップ力で比較してもよい。例えば、突起部５０のグリップ力とキャップトレッド１２のグリップ力とをｔａｎδで比較し、突起部５０の２０℃時のｔａｎδがキャップトレッド１２の２０℃時のｔａｎδの８０％以下となるようにしてもよい。このように、突起部５０のグリップ力がキャップトレッド１２のグリップ力よりも低くなるようにすることにより、突起部５０が接地した際に突起部５０が滑り易くなり、より確実にコーナーリングフォースの低減を図ることができる。この結果、より確実に転覆限界性能の向上を図ることができる。
【００５１】
なお、突起部５０のグリップ力を低減する場合には、突起部５０のグリップ力とキャップトレッド１２のグリップ力とを比較するのではなく、突起部５０のｔａｎδの値を低くしてもよい。例えば、突起部５０のｔａｎδを０．０５〜０．２０の範囲になるようにすることにより、突起部５０のグリップ力は低くなるので、突起部５０が接地した際に滑りが発生し易くなる。これにより、より確実のコーナーリングフォースを低減できるので、より確実に転覆限界性能の向上を図ることができる。
【００５２】
また、突起部形成範囲４５に形成される突起部５０は、１つや３つ以上でもよく、その形態はどのような形態でもよい。要は、直進走行時には接地せず、タイヤ幅方向に負荷がかかった場合、即ち、コーナーリング時などに接地し、且つ、突起部接地面積が、突起部が形成されていない場合の突起部形成範囲４５の面積の１％〜５０％の範囲内となるような突起部５０が、突起部形成範囲４５に形成されていれば、その形態はどのような形態でも構わない。空気入りタイヤ１にこのような突起部５０を設けることにより、コーナーリング時のコーナーリングフォースを低減できるので、この結果、転覆限界性能の向上を図ることができる。
【００５３】
また、上述したような突起部５０は、リブパターンやブロックパターン等いずれのトレッドパターンの空気入りタイヤに設けてもよい。トレッドパターンに関係なく、空気入りタイヤ１の突起部形成範囲４５に突起部５０を設けることにより、車両のコーナーリング時などに高い横Ｇが作用した場合に、直進走行時には接地しない突起部５０を接地させることができる。この突起部５０は、接地面積が小さいので滑り易くなっており、コーナーリング時に突起部５０が接地して当該突起部５０が滑ることによって、コーナーリングフォースを低減させることができる。この結果、転覆限界性能の向上を図ることができる。
【実施例】
【００５４】
以下、上記の空気入りタイヤ１について、従来の空気入りタイヤ１と本発明の空気入りタイヤ１とについて行なった性能の評価試験について説明する。性能評価試験は、転覆限界性能の１項目について行なった。
【００５５】
試験方法は、３０５／４０Ｒ２２サイズの空気入りタイヤ１を２２×１０−１／２ＪＪのリムに組み付けて内圧を２１０ｋＰａに設定し、エンジン排気量６０００ｃｃ、車重２５３０ｋｇの四輪駆動車に装着して、この四輪駆動車を走行させることによって行った。転覆限界性能の試験の評価方法は、上記の四輪駆動車でダブルレーンチェンジ試験（ＩＳＯ３８８８−２）を実施して評価した。この評価結果を、後述する従来例の空気入りタイヤ１の転覆限界性能を１００とした指数で示した。指数が大きい程、転倒限界性能が優れている。
【００５６】
試験をする空気入りタイヤ１は、本発明が１５種類、本発明と比較する比較例として１種類、そして、１種類の従来例を、上記の方法で試験する。この試験では、従来例、比較例、本発明１及び２を比較しており、これらは、突起部形成範囲４５に突起部５０が形成されていない場合の突起部形成範囲４５の面積に対する突起部接地面積の比率である突起部面積比が異なっている。また、従来例、本発明３〜１０を比較しており、これらは、突起部面積比と突起部５０の高さが異なっている。また、従来例、本発明１１〜１５を比較しており、これらは、突起部５０のＨｓとキャップトレッド１２のＨｓとの差が異なっている。
【００５７】
試験をするこれらの空気入りタイヤ１のうち、従来例は、突起部５０が形成されていない空気入りタイヤ１となっている。また、比較例は、突起部面積比が５５％になっている。これに対し、本発明の一例である本発明１は、突起部面積比が１％になっている。また、本発明２は、突起部面積比が５０％になっている。
【００５８】
また、本発明３〜１０は、突起部面積比が４０％になっている。このうち、本発明３は、突起部高さが０．３ｍｍになっている。また、本発明４は、突起部高さが０．５ｍｍになっている。また、本発明５は、突起部高さが１．５ｍｍになっている。また、本発明６は、突起部高さが２ｍｍになっている。また、本発明７は、突起部高さが３．５ｍｍになっている。また、本発明８は、突起部高さが４ｍｍになっている。また、本発明９は、突起部高さが５ｍｍになっている。また、本発明１０は、突起部高さが５．５ｍｍになっている。
【００５９】
また、本発明１１は、突起部５０のＨｓとキャップトレッド１２のＨｓとの差が１になっている。また、本発明１２は、突起部５０のＨｓとキャップトレッド１２のＨｓとの差が２になっている。また、本発明１３は、突起部５０のＨｓとキャップトレッド１２のＨｓとの差が５になっている。また、本発明１４は、突起部５０のＨｓとキャップトレッド１２のＨｓとの差が１０になっている。また、本発明１５は、突起部５０のＨｓとキャップトレッド１２のＨｓとの差が１２になっている。
【００６０】
これらの従来例、比較例、本発明１〜１５の空気入りタイヤ１を上記の方法で評価試験をし、得られた結果を表１〜３に示す。なお、表１は、従来例、比較例、本発明１及び２の試験結果を表示している。また、表２−１は、従来例と、本発明３〜６の試験結果を表示しており、表２−２は、本発明７〜１０の試験結果を表示している。また、表３は、従来例と、本発明１１〜１５の試験結果を表示している。
【００６１】
【表１】
2006182179.tif 000003
【００６２】
【表２−１】
2006182179.tif 000004
【００６３】
【表２−２】
2006182179.tif 000005
【００６４】
【表３】
2006182179.tif 000006
【００６５】
表１に示した試験結果で明らかなように、突起部形成範囲４５に突起部５０を設けた場合でも突起部面積比が１％〜５０％以外の場合には、転覆限界性能を向上させることができない（比較例）。また、表２−１及び表２−２に示した試験結果で明らかなように、突起部高さが０．５ｍｍ〜５．０ｍｍの範囲内になるように突起部５０を形成することにより、確実に転覆限界性能を向上させることができ、特に、突起部高さが２ｍｍ〜４ｍｍの範囲内になるように突起部５０を形成することにより、より確実に転覆限界性能を向上させることができる（本発明３〜１０）。また、表３に示した試験結果で明らかなように、突起部５０のＨｓとキャップトレッド１２のＨｓとの差が＋２〜＋１０の範囲内になるように突起部５０を形成することにより、より確実に転覆限界性能を向上させることができる（本発明１１〜１５）。
【００６６】
これらの結果、接地部４１のタイヤ幅方向外方に、直進走行時にはいずれの部分も接地せず、コーナーリング時には接地する突起部５０を設ける、つまり、正規内圧で空気を充填すると共に正規荷重で負荷をかけた際にはいずれの部分も接地せず、タイヤ幅方向に負荷をかけた際には接地する突起部５０を接地部４１のタイヤ幅方向外方に設け、さらに、突起部接地面積が、突起部形成範囲４５に突起部５０が形成されていないとした場合の突起部形成範囲４５の面積の１％〜５０％の範囲内になるように当該突起部５０を設けることにより、コーナーリング時に突起部５０が接地した場合に、突起部５０を滑らせることができる。これにより、コーナーリングフォースを低減でき、また、直進走行時は接地部４１しか接地しないので、操縦安定性や耐摩耗性を維持できる。これらの結果、操縦安定性や耐摩耗性を低減させることなく転覆限界性能の向上を図ることができる。
【産業上の利用可能性】
【００６７】
以上のように、本発明にかかる空気入りタイヤは、重心位置が高い車両に装着する空気入りタイヤに有用であり、特に、サマータイヤとして使用される空気入りタイヤに適している。
【図面の簡単な説明】
【００６８】
【図１】この発明に係る空気入りタイヤの要部を示す子午断面図である。
【図２】図１に示す空気入りタイヤに突起部が形成されている状態を示す図である。
【図３】図１に示す空気入りタイヤの要部斜視図である。
【図４】実施の形態の空気入りタイヤの変形例を示す図である。
【符号の説明】
【００６９】
１  空気入りタイヤ
１０  トレッド部
１１  トレッド面
１２  キャップトレッド
１８  ショルダー部
２０  溝部
３１  ベルト層
３２  サイドウォール部
３３  カーカス
３４  インナーライナ
４０  接地端
４１  接地部
４５  突起部形成範囲
４６  突起部形成範囲端部
５０  突起部
５１  赤道面側突起部
５２  外方側突起部
５３  突起部接地部
６０  赤道面
Ｗ  接地幅
Ｇ  溝深さ
Ｂ  突起部形成領域
Ｄ  赤道面側突起部高さ
Ｅ  外方側突起部高さ
【図１】
2006182179.tif 000007
【図２】
2006182179.tif 000008
【図３】
2006182179.tif 000009
【図４】
2006182179.tif 000010